(57)【特許請求の範囲】
【請求項１】
電気泳動粒子を含有する分散媒を共通電極と画素電極との間に介在させてなる電気泳動表示素子を有する電気泳動表示装置であって、
前記共通電極と前記画素電極との間に電圧を印加して前記電気泳動表示素子を駆動する駆動手段と、
前記駆動手段を制御する制御手段と、を備え、
前記電気泳動表示素子の表示を書き換えるための画像書き換え期間は、リセット期間と画像信号導入期間とを含み、
表示素子の全画素にデータの書き込み動作を１回行う期間を１フレーム期間としたときに、前記画像信号導入期間は複数のフレーム期間からなり、前記複数のフレーム期間は、第１フレーム期間と、前記第１フレーム期間より後に設けられる第２フレーム期間とを含み、前記第１フレーム期間に第１のデータ入力パルスが使用され、前記第２フレーム期間に第２のデータ入力パルスが使用され、
前記第１のデータ入力パルス及び前記第２のデータ入力パルスは、同一の画像を表示させるためのデータ入力パルスであり、
前記第２のデータ入力パルスは、パルス幅が前記第１のデータ入力パルスのパルス幅より狭いか、又はパルス強度が前記第１のデータ入力パルスのパルス強度より小さい、
ことを特徴とする電気泳動表示装置。
【請求項２】
前記複数のフレーム期間のうちの一部のフレーム期間の１画素あたりのデータ入力パルスのパルス幅の合計が、前記電気泳動粒子を所定の画像を表示するために所定位置に移動させるのに必要最小限の印加時間である、請求項１に記載の電気泳動表示装置。
【請求項３】
前記第１のデータ入力パルスのパルス幅が、前記電気泳動粒子が所定の画像を表示するために所定位置に移動させるのに必要最小限の印加時間である、請求項１又は２に記載の電気泳動表示装置。
【請求項４】
前記第２のデータ入力パルスは、ｎを自然数としたときに、ｎ＋１番目のフレーム期間のパルス幅が、ｎ番目のフレーム期間のパルス幅よりも狭いことを特徴とする請求項１乃至３のいずれかに記載の電気泳動表示装置。
【請求項５】
前記第２のデータ入力パルスは、ｎを自然数としたときに、ｎ＋１番目のフレーム期間のパルス強度が、ｎ番目のフレーム期間のパルス強度よりも小さいことを特徴とする請求項１乃至４のいずれかに記載の電気泳動表示装置。
【請求項６】
前記複数のフレーム期間において使用される前記データ入力パルスの幅を次第に狭くする、請求項１乃至５のいずれかに記載の電気泳動表示装置。
【請求項７】
前記リセット期間において、複数のリセットパルスが共通電極に印加され、前記複数のリセットパルスのうち、少なくとも１つのリセットパルスのパルス幅が第１のリセットパルスのパルス幅よりも狭い、請求項１乃至６のいずれかに記載の電気泳動表示装置。
【請求項８】
前記リセットパルスのパルス幅が次第に狭くなっている、請求項７に記載の電気泳動表示装置。
【請求項９】
前記リセット期間において、複数のリセットパルスが共通電極に印加され、前記複数のリセットパルスのうち、少なくとも１つのリセットパルスのパルス強度が第１のリセットパルスのパルス強度よりも小さい、請求項１乃至８のいずれかに記載の電気泳動表示装置。
【請求項１０】
前記複数のリセットパルスのパルス強度が次第に減少している、請求項９に記載の電気泳動表示装置。
【請求項１１】
請求項１乃至１０のいずれかに記載の電気泳動表示装置を備える電子機器。
【請求項１２】
電気泳動粒子を含有する分散媒を共通電極と画素電極との間に介在させてなる電気泳動表示素子を備える電気泳動表示装置の駆動方法であって、
前記電気泳動表示素子にリセット電圧を印加し、前記分散媒中の電気泳動粒子を所定位置に移動させることにより、表示画面の画像を消去してリセットする段階と、
前記リセット動作後に、選択された画素に、１画素につき同一の画像を表示させるための複数のデータ入力パルスを供給する段階と、を含み、
前記複数のデータ入力パルスのうち少なくとも１つのデータ入力パルスが第１のデータ入力パルスより狭いパルス幅及び／又は小さいパルス強度を有する、電気泳動表示装置の駆動方法。
【請求項１３】
前記データ入力パルスの幅を次第に狭くする、請求項１２に記載の電気泳動表示装置の駆動方法。
【請求項１４】
前記データ入力パルスの強度を次第に減少させる、請求項１２又は１３に記載の電気泳動表示装置の駆動方法。
【請求項１５】
前記リセット電圧が複数回印加され、少なくとも１つのリセットパルスのパルス幅が第１のリセットパルスのパルス幅よりも狭い、請求項１２乃至１４のいずれかに記載の電気泳動表示装置の駆動方法。
【請求項１６】
前記リセットパルスのパルス幅を次第に狭くする、請求項１５に記載の電気泳動表示装置の駆動方法。
【請求項１７】
前記リセット電圧が複数回印加され、少なくとも１つのリセットパルスのパルス強度が第１のリセットパルスのパルス強度よりも小さい、請求項１２乃至１６のいずれかに記載の電気泳動表示装置の駆動方法。
【請求項１８】
前記リセットパルスのパルス強度を次第に減少させる、請求項１７に記載の電気泳動表示装置の駆動方法。
【発明の詳細な説明】
【技術分野】
【０００１】
本発明は、電気泳動粒子を含んでなる分散媒を備える電気泳動表示装置（あるいは電気泳動装置）とその駆動方法、及びこれを用いた電子機器に関する。
【背景技術】
【０００２】
溶液中に電気泳動粒子を分散させてなる分散媒に電界を印加した際に、クーロン力によって電気泳動粒子が泳動する現象（電気泳動現象）が知られており、当該現象を利用した電気泳動表示装置が開発されている。このような電気泳動表示装置は、例えば、特開２００２−１１６７３３号公報（特許文献１）、特開２００３−１４０１９９号公報（特許文献２）などの文献に開示されている。
【０００３】
【特許文献１】特開２００２−１１６７３３号公報
【特許文献２】特開２００３−１４０１９９号公報
【発明の開示】
【発明が解決しようとする課題】
【０００４】
このような電気泳動表示装置では、２つの電極間に電荷を帯びた電気泳動粒子を介在させ、当該電極間に画像信号に応じた所定の電圧を与えることで着色した電気泳動粒子を移動させ、画像を形成している。
【０００５】
しかしながら、全ての電気泳動粒子が全く同じ挙動をとるとは限らないため、所定の電圧を付与しても所望の位置まで十分に移動しきれない粒子がある。また、一旦所定距離を移動しても分散液の対流により再び沈降又は浮上してしまう粒子がある。このような場合には色が不鮮明になったり、残像が生じたり、画素間で色や輝度にばらつきが生じるなどの不具合が生じる。
【０００６】
そこで、本発明は、かかる不具合を解消し、電気泳動表示装置の画質を向上させることが可能な技術を提供することを目的としている。
【課題を解決するための手段】
【０００７】
上記課題を解決するために、本発明の電気泳動表示装置は、電気泳動粒子を含有する分散媒を共通電極と画素電極との間に介在させてなる電気泳動表示素子を有する電気泳動表示装置であって、上記共通電極と上記画素電極との間に電圧を印加して上記電気泳動表示素子を駆動する駆動手段と、上記駆動手段を制御する制御手段とを備え、上記電気泳動表示素子の表示を書き換えるための画像書き換え期間は、リセット期間と画像信号導入期間とを含み、表示素子の全画素にデータの書き込み動作を１回行う期間を１フレーム期間としたときに、上記画像信号導入期間は複数のフレーム期間からなり、上記複数のフレーム期間は、第１フレーム期間と、上記第１フレーム期間より後に設けられる第２フレーム期間とを含み、上記第１フレーム期間に第１のデータ入力パルスが使用され、上記第２フレーム期間に第２のデータ入力パルスが使用され、上記第１のデータ入力パルス及び上記第２のデータ入力パルスは、同一の画像を表示させるためのデータ入力パルスであり、上記第２のデータ入力パルスは、パルス幅が上記第１のデータ入力パルスのパルス幅より狭いか、又はパルス強度が上記第１のデータ入力パルスのパルス強度より小さい、ことを特徴とする。
上記課題を解決するために、参考例のひとつの電気泳動表示装置は、電気泳動粒子を含有する分散媒を共通電極と画素電極との間に介在させてなる電気泳動表示素子を有する電気泳動表示装置であって、上記共通電極と上記画素電極との間に電圧を印加して上記電気泳動表示素子を駆動する駆動手段と、上記駆動手段を制御する制御手段とを備え、上記電気泳動表示素子の表示を書き換えるための画像書き換え期間は、リセット期間と画像信号導入期間とを含み、上記画像信号導入期間において、上記電気泳動表示素子を第１のデータ入力パルス及び上記第１のデータ入力パルスと異なる形状の第２のデータ入力パルスで駆動することを特徴とする。
【０００８】
上記の電気泳動表示装置は、表示素子の全画素にデータの書き込み動作を１回行う期間を１フレーム期間としたときに、上記画像信号導入期間は複数のフレーム期間からなり、上記複数のフレーム期間の最初のフレーム期間である第１フレーム期間に上記第１のデータ入力パルスが使用され、上記第１フレーム期間以外では上記第２データ入力パルスが使用され、上記第２のデータ入力パルスのパルス幅は上記第１のデータ入力パルスのパルス幅と等しいか、又は狭く、上記第２のデータ入力パルスのパルス強度は上記第１のデータ入力パルスのパルス強度と等しいか、又は小さい、ようにすることが好ましい。
【０００９】
上記課題を解決するために、参考例のもうひとつの電気泳動表示装置は、電気泳動粒子を含有する分散媒を共通電極と画素電極との間に介在させてなる電気泳動表示素子と、上記共通電極と上記画素電極との間に電圧を印加して上記電気泳動表示素子を駆動する駆動手段と、上記駆動手段を制御する制御手段とを備え、上記制御手段により上記駆動手段を制御して上記共通電極と上記画素電極との間に画像書き換えを行うために電圧を与える画像書き換え期間が、リセット期間と、当該リセット期間の後に設けられる画像信号導入期間とを含み、上記画像信号導入期間が、表示画像を構成する信号を各々供給する複数のフレーム期間から構成されており、第１フレーム期間のデータ入力パルスとは異なるパルス幅及び／又はパルス強度（パルス幅及びパルス強度のうち少なくともいずれか）のデータ入力パルスを上記電気泳動表示素子に印加する少なくとも１つの他のフレーム期間を含む、ことを特徴とする。
【００１０】
これによれば、リセット期間後の画像信号導入期間に、複数のフレーム期間が設けられており、選択された１画素につき、複数回電圧パルスが印加されることになるので、例えば第１のフレーム期間内に所定位置（画素電極又は共通電極）まで十分移動しきれなかった粒子や分散媒の対流により所定位置から動いてしまった電気泳動粒子（以下、簡略化のため、粒子ともいう）も、第２フレーム期間以降のデータ入力パルスの印加により所定位置に移動することが可能となる。
【００１１】
また、第１のフレーム期間と第２のフレーム期間以降のデータ入力パルスのパルス幅及び／又はパルス強度を変更することにより、第１のフレーム期間で移動しきれなかった粒子の分布状態等に応じて、第２のフレーム期間以降に、最低限の期間及び強さのデータ入力パルスを供給することが可能となる。従って、より少ない消費電力で、画質を向上させることが可能となる。
【００１２】
また、複数フレームで画像書き換えを行うために、いわゆるフェードイン効果・フェードアウト効果のような画面全体が徐々に変化するような表示を行うことが可能となる。
【００１３】
上記複数のフレーム期間のうちの一部のフレーム期間の１画素あたりのデータ入力パルスのパルス幅の合計が、上記電気泳動粒子を所定の画像を表示するために所定位置に移動させるのに必要最小限の印加時間であってもよい。これによれば、電気泳動粒子を数回のパルスの印加により所定位置に到達させるので、電気泳動粒子の移動時の分散媒の対流を低減させることができ、電気泳動粒子が所定位置に到達した後に分散媒の対流によって生じる電気泳動粒子の分布の乱れを低減することができる。
【００１４】
上記第１フレーム期間のデータ入力パルスのパルス幅が、上記電気泳動粒子が所定の画像を表示するために所定位置に移動させるのに必要最小限の印加時間であってもよい。これによれば、電気泳動粒子を第１フレーム期間に移動させるので、表示にかかる応答時間を短くすることができる。
【００１５】
一方の電極が上記共通電極と接続され、他方の電極が上記画素電極と接続されてなる保持容量を更に備えることが好ましい。これにより、画素電極と共通電極との電位差をより安定させることが可能となり、電気泳動表示素子に印加される電圧をより安定させることができる。
【００１６】
上記データ入力パルスのパルス幅が上記フレーム期間毎に次第に狭くなっていることが好ましい。また、上記データ入力パルスは、ｎを自然数としたときに、ｎ＋１番目のフレーム期間のパルス幅が、ｎ番目のフレーム期間のパルス幅に等しいか、又は狭くしてもよい。これによれば、電気泳動粒子の移動に伴う分散媒の対流等の影響を徐々に小さくすることができるので、再度移動させる距離を次第に縮めることができる。したがって、より少ない消費電力で画質を向上させることが可能となる。
【００１７】
上記データ入力パルスのパルス強度が上記フレーム期間毎に次第に減少していることが好ましい。また、上記データ入力パルスは、ｎを自然数としたときに、ｎ＋１番目のフレーム期間のパルス強度が、ｎ番目のフレーム期間のパルス強度に等しいか、又は小さくしてもよい。これによれば、電気泳動粒子の移動に伴う分散媒の対流等の影響を徐々に小さくすることができるので、再度移動させる距離を次第に縮めることができる。したがって、より少ない消費電力で画質を向上させることが可能となる。
【００１８】
上記リセット期間において、複数のリセットパルスが共通電極に印加され、上記複数のリセットパルスのうち、少なくとも１つのリセットパルスのパルス幅が第１のリセットパルスのパルス幅とは異なることが好ましい。特に、上記リセットパルスのパルス幅が次第に狭くなっていることが好ましい。これによれば、電気泳動粒子の移動に伴う分散媒の対流等の影響を徐々に小さくすることができるので、再度移動させる距離を次第に縮めることができる。したがって、より少ない消費電力で画質を向上させることが可能となる。
【００１９】
上記リセット期間において、複数のリセットパルスが共通電極に印加され、上記複数のリセットパルスのうち、少なくとも１つのリセットパルスのパルス強度が第１のリセットパルスのパルス強度とは異なることが好ましい。特に、上記複数のリセットパルスのパルス強度が次第に減少していることが好ましい。電気泳動粒子の移動に伴う分散媒の対流等の影響を徐々に小さくすることができるので、再度移動させる距離を次第に縮めることができる。したがって、より少ない消費電力で画質を向上させることが可能となる。
【００２０】
本発明の電子機器は、上記電気泳動表示装置を備えている。これによれば、上記電気泳動表示装置を備えているので、表示部の画質に優れた電子機器が得られる。ここで「電子機器」とは、一定の機能を奏する電気機器一般をいい、その構成が特に限定されるものではないが、例えば、電子ペーパー、電子ブック、ＩＣカード、ＰＤＡ、電子手帳等が含まれる。
【００２１】
本発明の電気泳動表示装置の駆動方法は、電気泳動粒子を含有する分散媒を共通電極と画素電極との間に介在させてなる電気泳動表示素子を備える電気泳動表示装置の駆動方法であって、上記電気泳動表示素子にリセット電圧を印加し、上記分散媒中の電気泳動粒子を所定位置に移動させることにより、表示画面の画像を消去してリセットする段階と、上記リセット動作後に、選択された画素に、１画素につき同一の画像を表示させるための複数のデータ入力パルスを供給する段階と、を含み、上記複数のデータ入力パルスのうち少なくとも１つのデータ入力パルスが第１のデータ入力パルスより狭いパルス幅及び／又は小さいパルス強度を有する。
参考例の電気泳動表示装置の駆動方法は、電気泳動粒子を含有する分散媒を共通電極と画素電極との間に介在させてなる電気泳動表示素子を備える電気泳動表示装置の駆動方法であって、上記電気泳動表示素子にリセット電圧を印加し、上記分散媒中の電気泳動粒子を所定位置に移動させることにより、表示画面の画像を消去してリセットする段階と、上記リセット動作後に、選択された画素に、１画素につき複数のデータ入力パルスを供給する段階と、を含み、上記複数のデータ入力パルスのうち、少なくとも１つのデータ入力パルスが第１のデータ入力パルスとは異なるパルス幅及び／又はパルス強度を有する。
【００２２】
これによれば、リセット動作後に、選択された画素一画素につき、複数回電圧パルスが印加されることになるので、例えば１回のデータ入力パルスで所定位置（画素電極又は共通電極）まで十分移動しきれなかった粒子や分散媒の対流により所定位置から動いてしまった電気泳動粒子（以下、簡略化のため、粒子ともいう）も、２回目以降のデータ入力パルスの印加により所定位置に移動することが可能となる。
【００２３】
また、第１のデータ入力パルスと２回目以降のデータ入力パルスのパルス幅及び／又はパルス強度を変更することにより、第１の入力パルスの印加で移動しきれなかった粒子の分布状態等に応じて、２回目以降に最低限の期間及び強さのデータ入力パルスを供給することが可能となる。従って、必要最小限の消費電力で、画質を向上させることが可能となる。
【００２４】
上記データ入力パルスの幅を、次第に狭くすることが好ましい。これによれば、電気泳動粒子の移動に伴う分散媒の対流等の影響を徐々に小さくすることができるので、再度移動させる距離を次第に縮めることができる。したがって、より少ない消費電力で画質を向上させることが可能となる。
【００２５】
上記データ入力パルスの強度を、次第に減少させることが好ましい。これによれば、電気泳動粒子の移動に伴う分散媒の対流等の影響を徐々に小さくすることができるので、再度移動させる距離を次第に縮めることができる。したがって、より少ない消費電力で画質を向上させることが可能となる。
【００２６】
上記リセット電圧が複数回印加され、少なくとも１つのリセットパルスのパルス幅が第１のリセットパルスのパルス幅とは異なることが好ましい。さらに、上記リセットパルスのパルス幅を、次第に狭くすることが好ましい。これによれば、電気泳動粒子の移動に伴う分散媒の対流等の影響を徐々に小さくすることができるので、再度移動させる距離を次第に縮めることができる。したがって、より少ない消費電力で画質を向上させることが可能となる。
【００２７】
上記リセット電圧が複数回印加され、少なくとも１つのリセットパルスのパルス強度が第１のリセットパルスのパルス強度とは異なることが好ましい。さらに、上記リセットパルスのパルス強度を、次第に減少させることが好ましい。これによれば、電気泳動粒子の移動に伴う分散媒の対流等の影響を徐々に小さくすることができるので、再度移動させる距離を次第に縮めることができる。したがって、より少ない消費電力で画質を向上させる
ことが可能となる。
【００２８】
また、参考例の電気泳動表示装置は、電気泳動粒子を含有する分散媒を共通電極と画素電極との間に介在させてなる電気泳動表示素子と、上記共通電極と上記画素電極との間に電圧を印加して上記電気泳動表示素子を駆動する駆動手段と、上記駆動手段を制御する制御手段とを備え、画像書き換えを行うために上記制御手段により上記駆動手段を制御して上記共通電極と上記画素電極との間に電圧を与える画像書き換え期間が、リセット期間と、当該リセット期間の後に設けられる画像信号導入期間とを含み、上記リセット期間及び／又は上記画像信号導入期間に、選択された画素に所定の電圧パルスを印加し、電気泳動粒子を略所定位置に移動させた後に、さらに、連続して上記電圧パルスのパルス幅及び／又はパルス強度とは異なる少なくとも１つの追加の電圧パルスを印加することにより、上記電気泳動粒子の位置を微調整する。                                                                              
【００２９】
これによれば、選択された各画素につき、複数回電圧パルスが印加されることになるので、例えば第１のフレーム期間内に所定位置（画素電極又は共通電極）まで十分移動しきれなかった粒子や分散媒の対流により所定位置から動いてしまった電気泳動粒子も、第２フレーム期間以降のデータ入力パルスの印加により所定位置に移動することが可能となる。
【発明を実施するための最良の形態】
【００３０】
以下、本発明の実施の形態について図面を参照しながら説明する。
【００３１】
（第１の実施形態）
図１は、本発明の第１の実施形態の電気泳動表示装置の回路構成を概略的に説明するブロック図である。図１に示す本実施形態の電気泳動表示装置１は、コントローラ１１、表示部１２、走査線駆動回路１３、データ線駆動回路１４を含んで構成されている。
【００３２】
コントローラ１１は、走査線駆動回路１３及びデータ線駆動回路１４を制御するものであり、図示しない画像信号処理回路やタイミングジェネレータなどを含んで構成されている。このコントローラ１１は、表示部１２に表示させる画像を示す画像信号（画像データ）、画像書き換え時のリセットを行うためのリセットデータ、その他各種信号（クロック信号等）を生成し、走査線駆動回路１３又はデータ線駆動回路１４へ出力する。
【００３３】
表示部１２は、Ｘ方向に沿って略平行に配列された複数本のデータ線２５と、Ｙ方向に沿って略平行に配列された複数本の走査線２４と、これらのデータ線２５と走査線２４の各交点に配置される画素回路２０とを備えており、各画素回路２０に含まれる電気泳動表示素子によって画像表示を行うものである。
【００３４】
走査線駆動回路１３は、表示部１２の各走査線２４と接続されており、これらの走査線２４のいずれかを選択し、当該選択した走査線２４に所定の走査線信号Ｙ１、Ｙ２、…、Ｙｍを供給する。この走査線信号Ｙ１、Ｙ２、…、Ｙｍは、アクティブ期間（Ｈレベル期間）が順次シフトする信号となっており、各走査線２４に出力されることにより、各走査線２４に接続された画素回路２０が順次オン状態とされる。
【００３５】
データ線駆動回路１４は、表示部１２の各データ線２５と接続されており、走査線駆動回路１３によって選択された各画素回路２０に対してデータ信号Ｘ１、Ｘ２、…、Ｘｎを供給する。
【００３６】
なお、上述したコントローラ１１が本発明における「制御手段」に相当し、走査線駆動回路１３及びデータ線駆動回路１４が本発明における「駆動手段」に相当する。
【００３７】
図２は、各画素回路２０の構成を説明する回路図である。図２に示す画素回路２０は、スイッチング用のトランジスタ２１、電気泳動表示素子２２、保持容量２３を含んで構成されている。トランジスタ２１は、例えばＮチャネルトランジスタであって、そのゲートが走査線２４に接続され、ソースがデータ線２５に接続され、ドレインが電気泳動表示素子２２の画素電極３３に接続されている。電気泳動表示素子２２は、各画素ごとに設けられる画素電極３３と、各画素共通に用いられる共通電極３４との間に分散系３５を介在させて構成されている。保持容量２３は、電気泳動表示素子２２と並列に接続されている。より具体的には、保持容量２３は、一方の電極がトランジスタのドレインに接続され、他方の電極が共通電極３４に接続されている。このように、電気泳動表示素子２２と並列に保持容量２３を接続することにより、電気泳動表示素子２２に印加される電圧が変動しても保持容量２３により電荷を補充することができるので、画素電極と共通電極間の電位差
が安定し、電気泳動表示素子２２に与える電圧をより安定させることができる。
【００３８】
図３は、電気泳動表示素子の構成例を説明する模式断面図である。図３に示すように本実施形態の電気泳動表示素子２２は、ガラス又は樹脂等からなる基板３１上に形成された画素電極３３と、ガラス又は樹脂等からなる光透過性の基板３２上に形成された共通電極３４との間に、分散系３５を介在させて構成されている。画素電極３３は、必ずしも透明電極である必要はないが、例えば酸化インジウム・スズ（ＩＴＯ）膜などで構成される。共通電極３４には、光透過性の透明電極が用いられ、例えば、ＩＴＯ膜などで構成される。分散系３５は、分散媒（分散液）３８中に電気泳動粒子３６、３７を含んで構成されている。本実施形態では、電気泳動粒子３６は電気的にマイナスに帯電した白色の粒子（白粒子）であり、電気泳動粒子３７は電気的にプラスに帯電した黒色の粒子（黒粒子）であるものとする。なお、白粒子としては、例えば二酸化チタン等の白色顔料、黒粒子としては、例えば、カーボンブラック等の黒色顔料が用いられる。
【００３９】
次に、本実施形態の電気泳動表示装置１の表示原理について説明する。
【００４０】
本実施形態の電気泳動表示装置１では、画素電極３３と共通電極３４の間に印加する電圧を制御することにより、これらの電気泳動粒子３６、３７の空間的配置を変化させ、各画素の電気泳動粒子の分布状態を変化させて画像表示がなされる。具体的には、例えば、共通電極３４を基準にして負極性の電圧を画素電極３３に印加すると、表示面側の共通電極３４側にマイナスに帯電した白色の電気泳動粒子３６がクーロン力によって移動し、プラスに帯電した黒色の電気泳動粒子３７は画素電極３３側に移動するので、表示面には白色が表示されることになる。また、一方で、共通電極３４を基準にして正極性の電圧を画素電極３３に印加すると、表示面側の共通電極３４側にはプラスに帯電した黒色の電気泳動粒子３７が集まり、マイナスに帯電した白色の電気泳動粒子３６は画素電極３３側に集まるので、表示面には黒色が表示されることになる。
【００４１】
電気泳動粒子３６、３７は、電気泳動粒子３６、３７の比重と分散媒３８の比重とをほぼ等しくなるように設定することによって、電気泳動表示素子２２（分散系３５）への外部電界の印加を停止した後においても、分散媒３８中の一定の位置に長時間に亘り留めることができる。
【００４２】
電気泳動粒子３６、３７の移動速度は、電界強度（印加電圧）に応じて定まる。また、電気泳動粒子３６、３７の移動距離は、印加電圧と印加時間に応じて定まることになる。したがって、印加電圧及び印加時間を調整することで、２つの電極間において電気泳動粒子３６、３７を移動させることができる。
【００４３】
ところで、電気泳動粒子３６、３７の電気的特性（例えば、電荷量）や機械的特性（例えば、粒子径、重量）等の粒子特性が、全ての粒子において揃っていれば、全粒子は同一の挙動を示し、同一の速度で移動することになる。しかし、電気泳動粒子３６、３７の素材や製造法の制約等から粒子特性にバラツキが生じる場合がある。
【００４４】
このような場合には、電極間距離に応じて、所定電圧を所定時間印加しても、全粒子が一定の挙動を示さず、全行程（画素電極３３と共通電極３４との間の距離）を移動しきれない場合がある。また、電気泳動粒子３６、３７が所定位置に移動後にも、電気泳動粒子３６、３７の移動時に生じた分散媒３８の対流等によって電気泳動粒子３６、３７が定位置からさらに移動してしまうことがある。すると、電気泳動粒子３６、３７の空間的分布状態にバラツキが生じ、色が不鮮明となったり、残像が生じたり、画素間で色や輝度にばらつきが生じるなどの不具合が生じ得る。
【００４５】
そこで、本実施形態では、電気泳動粒子３６、３７に、電極間を所定距離移動するのに必要最小限の時間、所定電圧を付与した後、それよりも短い時間、所定電圧を電極間に印加することで、移動しきれなかった粒子や定位置から再度移動してしまった粒子等を再び定位置に移動させることにより、画質の向上を図る。
【００４６】
次に、当該電気泳動表示装置１における各電気泳動表示素子の駆動方法について説明する。
【００４７】
図４は、本実施形態の電気泳動表示装置１の単位画像書き換え期間における基本的な駆動方法を説明する信号波形図である。
【００４８】
ここで、画像書き換え期間は、コントローラ１１により走査線駆動回路１３及びデータ線駆動回路１４を制御して共通電極３４及び画素電極３３相互間に画像書き換えを行うための電圧を与える動作を行う期間であり、本実施形態の電気泳動表示装置１では、画像書き換え期間には、リセット期間及び画像信号導入期間が設けられている。
【００４９】
なお、画像信号導入期間は、画像データ（画像信号）を導入する期間であり、後述するように複数のフレーム期間から構成されるが、図４においては説明を簡単にするため、第１フレーム期間の波形のみを記載した。また、リセット期間は、画像信号導入期間に先立ち、画像を一旦消去する期間であり、リセット期間で画像を一旦消去し、電気泳動粒子の位置を再設定することで、新たに形成する画像の乱れが低減される。
【００５０】
まず、リセット期間が開始されると、図１に示すように、コントローラ１１の画像信号処理回路及びタイミングジェネレータは、リセットデータＤｒ及びクロック信号ＸＣＫ、ＹＣＫを走査線駆動回路１３及びデータ線駆動回路１４に供給する。走査線駆動回路１３は、このクロック信号ＹＣＫに応じて走査線信号Ｙ１、Ｙ２、・・・Ｙｍを各走査線２４に供給する。また、データ線駆動回路１４は、リセットデータＤｒ及びクロック信号ＸＣＫに基づいて、走査線信号Ｙ１、Ｙ２、・・・Ｙｍに同期するように、データ線信号Ｘ１、Ｘ２、・・・Ｘｎを各データ線２５に供給する。
【００５１】
図４に示すように、この例では、全画素の画素電極３３にデータ線２５を介して低電源電位Ｖｓｓ（例えば０Ｖ）が印加される。その後、共通電極３４の電位（共通電位）Ｖｃｏｍに高電源電位Ｖｄｄ（例えば＋１５Ｖ）が所定時間印加される。本例では、電気泳動表示素子２２に、このような電位差（リセット電圧）が付与されることにより、マイナスに帯電した白色の電気泳動粒子３６が共通電極３４側に引き寄せられ、表示画面が白表示にリセットされる。
【００５２】
次に、画像信号導入期間における書き込み動作について説明する。画像信号導入期間の第１フレーム期間が開始されると、コントローラ１１は、書き込み動作を開始する。図１に示すように、コントローラ１１の画像信号処理回路及びタイミングジェネレータは、画像データＤ（画像信号）及びクロック信号ＸＣＫ、ＹＣＫを走査線駆動回路１３及びデータ線駆動回路１４に供給する。走査線駆動回路１３は、クロック信号ＹＣＫに応じて走査線信号Ｙ１、Ｙ２、・・・Ｙｍを各走査線２４に供給する。また、データ線駆動回路１４は、画像データＤ及びクロック信号ＸＣＫに基づいて、走査線信号Ｙ１、Ｙ２、・・・Ｙｍに同期するように、データ線信号Ｘ１、Ｘ２、・・・Ｘｎを各データ線２５に供給する。
【００５３】
図４に示すように、この例では、共通電位Ｖｃｏｍとして低電源電位Ｖｓｓが与えられ、各画素の画素電極３３には各データ線２５を介して、表示画像の内容に応じた電位が画素ごとに与えられる。これにより、所望の画像が表示画面に表示される。第２フレーム期間以降についても、第１フレーム期間と同様に動作する。
【００５４】
ここで、本実施形態では、単位画像書き換え期間内の複数のフレーム期間において供給される画像データは全て同一である。すなわち、第１フレーム期間に送られる画像データと、第２フレーム期間以降の各フレーム期間で画像データは、全て同一の画像を構成するよう指示するものである。但し、第１フレーム期間と第２フレーム期間以降の各フレーム期間では、データ線信号のパルス幅をフレーム期間毎に徐々に狭くしていく。したがって、例えばデータ線２５に付与される第１フレーム期間のデータ線信号Ｘ１よりも、第２フレーム期間のデータ線信号Ｘ１の方がパルス幅が狭くなっている。
【００５５】
以下、一つの表示単位に着目して、本実施形態の電気泳動表示装置１の動作について詳細に説明する。ｉ行（ｉ番目の走査線）、ｊ列（ｊ番目のデータ線）の画素Ｐｉｊを例に採り説明する。
【００５６】
図５は、第１の実施形態の電気泳動表示装置１の動作を任意の一画素（単位画素）に着目して説明するための信号波形図である。
【００５７】
画素Ｐｉｊを黒色表示させる場合について説明する。上述のようにリセット動作がなされた後（図６（ａ）参照）、第１フレーム期間において、まず、ｉ番目の走査線２４に対して、トランジスタ２１を一定期間（Ｈレベル期間）オンさせる走査線信号Ｙｉ（電圧Ｇ１）が供給され、この間、画素Ｐｉｊの各画素回路２０がオン状態になる。
【００５８】
次に、データ線２５に対して、コントローラ１１から走査線駆動回路１３を介して出力された、パルス幅Ｔ１、パルス強度Ｖｄｄ（例えば１５Ｖ）の電圧パルス（データ入力パルス）が供給され、画素電極３３に印加される。一方、共通電極３４には定電位Ｖｓｓ（例えば０Ｖ）が供給される。したがって、画素電極３３と共通電極３４との間に挟持され
た分散系３５にはＶｄｄとＶｓｓとの差電位（Ｖｄｄ−Ｖｓｓ）が期間Ｔ１の間、印加されることになる。なお、ここで、Ｔ１は、電圧Ｖｄｄが与えられた際に、黒色の電気泳動粒子３７が画素電極３３から共通電極３４に移動させるのに必要最小限の印加時間であることが好ましい。
【００５９】
分散系３５に電圧が印加されることにより、図６（ｂ）に示すように、大半の黒色の電気泳動粒子３７がこの期間Ｔ１の間に共通電極３４側に移動し、同様に、大半の白色の電気泳動粒子３６が画素電極３３側に移動する。この段階で、表示面全体には所定の画像がほぼ観測される。
【００６０】
なお、この段階では、図６（ｂ）に示すように、全ての電気泳動粒子３６、３７が所定の位置に移動しきれているわけではなく、また、電気泳動粒子３６、３７の移動によって生じる対流等のため、一旦所定位置に移動した粒子が再び沈降或いは浮上等するため、表示面を見た際に画像の鮮明さに欠ける場合がある。
【００６１】
そこで、第２フレーム期間以降に、第１フレーム期間に付与した電圧パルスとパルス強度は同じであるが、Ｔ１よりも狭いパルス幅（バルス印加時間）の電圧パルスを供給する。本実施形態では、第２フレーム期間にパルス幅Ｔ２（Ｔ２＜Ｔ１）、第３フレーム期間にパルス幅Ｔ３（Ｔ３＜Ｔ２）というように、段階的にパルス幅を狭くした電圧パルスを付与する。すると、図６（ｃ）に示すように、再び電気泳動表示素子２２に電圧が印加されるので、第１フレーム期間で移動しきれなかった粒子や、第１フレーム期間により分散媒３８に生じた対流の影響により移動した粒子が所定位置に移動することになる。また、フレーム期間毎に画素に与える電圧パルスのパルス幅を段階的に狭くしていくことで、電気泳動表示素子２２に過度の電圧を与えることがなく、ほぼ全ての粒子を所定の位置に移
動させることができる。
【００６２】
なお、ここで、画素電極３３に供給する電圧パルスのパルス幅は、特に限定するものではないが、１〜７００ｍｓｅｃの範囲で選択することが好ましく、更には１０〜５００ｍｓｅｃの範囲で選択することが好ましい。具体的には、例えば、第１フレーム期間のパルス幅Ｔ１を２００ｍｓｅｃ、第２フレーム期間のパルス幅Ｔ２を１００ｍｓｅｃ、第３フレーム期間（最終フレーム期間）のパルス幅Ｔ３を１０ｍｓｅｃとする。
【００６３】
また、本実施形態では、画素に白表示をさせる場合、リセット時に白表示がなされるため、データ線信号の電位を共通電極の電位Ｖｃｏｍ（上記例では０Ｖ）と同じ電位にすることで、リセット時の白表示がそのまま保持され、表示画面に白表示がなされる。
【００６４】
本実施形態では、画像信号導入期間において、画素電極３３と共通電極３４とに挟持される分散系３５に各フレーム期間毎にパルス幅が徐々に狭くなるデータ入力パルスを出力するので、電気泳動表示素子２２に過剰の電圧を加えることなく、ほぼ全ての粒子を所望の位置（画素電極３３又は共通電極３４）に移動させることができる。したがって、電気泳動表示素子の過剰な熱による化学変化や劣化を回避することができ、また、最低限の消費電力で画質の向上を図ることができる。また、本実施形態では、パルス幅により電気泳動粒子３６、３７の調整を行っているので、電圧を多段階に変化させることができない電源を用いることもできる。
【００６５】
なお、上記例では、フレーム期間は３つであったが、これに限定されず、フレーム期間は２つであっても、また、３つより多く含まれていてもよい。なお、好ましくは、フレーム期間は３〜１０個設けられているとよい。また、上記例では、第１フレーム期間、第２フレーム期間、第３フレーム期間と各期間で段階的にデータ入力パルスのパルス幅が狭くなっているが、複数のフレーム期間において同じパルス幅のデータ入力パルスが含まれることを妨げるものではない。すなわち、例えばＴ１＞Ｔ２＝Ｔ３であってもよい。
【００６６】
また、上記例では、第１フレーム期間で電気泳動粒子３６、３７をほぼ定位置（画素電極３３又は共通電極３４）に移動させ、その後の微調整を第２フレーム期間以降で行ったが、これに限定されず、例えば、第１フレーム期間及び第２フレーム期間で、電気泳動粒子３６、３７をほぼ定位置に移動させ、その後の微調整を第３フレーム期間以降で行うことにしてもよい。
【００６７】
（第２の実施形態）
第１の実施形態では、画像信号導入期間において、画素電極３３と共通電極３４とに挟持される分散系３５に各フレーム期間毎に徐々に狭くしたパルス幅のデータ入力パルスを印加し、第１フレーム期間で移動しきれなかった電気泳動粒子３６、３７等を定位置に移動させることにより、画質の向上を図った。本実施形態では、パルス幅に代えて、パルス強度を変化させることにより、画質の向上を図る。
【００６８】
図７は、第２の実施形態の電気泳動表示装置１の動作を任意の一画素に着目して説明するための波形図である。
【００６９】
第２の実施形態では、データ入力パルスのパルス幅を変えずにパルス強度を変えた以外は、第１の実施形態と同じ方法で駆動する。
【００７０】
図７に示すように、本実施形態では、画像信号導入期間が４つのフレーム期間から構成されており、各フレーム期間に供給されるデータ入力パルスのパルス幅は同一であるが、パルス強度（供給電圧）が異なる。ここでは、第１のフレーム期間及び第２のフレーム期間のパルス強度Ｈ１、Ｈ２がＶｄｄ１（共通電極の電位Ｖｄｄと同じ値である。例えば、１５［Ｖ］）、第３のフレーム期間及び第４フレーム期間のパルス強度Ｈ３、Ｈ４がＶｄｄ２（例えば、６［Ｖ］）となっている。Ｖｄｄ１は、Ｖｄｄ２よりも大きい電位（Ｖｄｄ１＞Ｖｄｄ２）である。第１のフレーム期間及び第２のフレーム期間、第３のフレーム期間及び第４のフレーム期間と時間経過と共に当該パルスのパルス強度が小さくなる。
【００７１】
図８は、一画素に着目した場合の電気泳動粒子３６、３７の動作を説明するめの図である。図８（ａ）に示すように、リセット動作の終了時においては、白色の電気泳動粒子３６が共通電極３４側に引き寄せられ、白表示がなされている。その後、第１のフレーム期間に、パルス強度Ｈ１（Ｖｄｄ１）のデータ入力パルスが印加されると、図８（ｂ）に示すように各電気泳動粒子３６、３７が各々画素電極３３側、共通電極３４側に移動を開始する。次に、第２のフレーム期間に、パルス強度Ｈ２（Ｖｄｄ１）のデータ入力パルスが印加されると、白色の電気泳動粒子３６はほぼ画素電極３３側に、黒色の電気泳動粒子３７はほぼ共通電極３４側に移動する。第３のフレーム期間及び第４のフレーム期間に、パルス強度Ｈ２及びＨ３（それぞれＶｄｄ２）のデータ入力パルスが印加されると、図８（ｄ）に示すように、第２のフレーム期間までに移動しきれなかったり、移動後に分散媒３８の対流により移動してしまった電気泳動粒子３６、３７を所定位置に移動させることが
できる。
【００７２】
本実施形態では、画像信号導入期間において、画素電極３３と共通電極３４とに挟持される分散系３５に各フレーム期間毎にパルス強度が徐々に減少するデータ入力パルスを出力するので、電気泳動表示素子２２に過剰の電圧を加えることなく、ほぼ全ての粒子を所望の位置に移動させることができる。したがって、電気泳動表示素子の過剰な熱による化学変化や劣化を回避することができ、また、最低限の消費電力で画質の向上を図ることができる。
【００７３】
なお、上記例では、フレーム期間は４つであったが、第１の実施形態同様、２以上の複数設けてもよく、好ましくは、３〜１０個である。また、上記例では、パルス強度は、Ｈ１＝Ｈ２＞Ｈ３＝Ｈ４であったが、これに限定されず、各期間ごとに、Ｈ１＞Ｈ２＞Ｈ３＞Ｈ４のように減少させてもよい。
【００７４】
（第３の実施形態）
第１の実施形態ではデータ入力パルスのパルス幅を変化させ、第２の実施形態ではデータ入力パルスのパルス強度を変化させることにより、画質の向上を図った。第３の実施形態では、データ入力パルスのパルス幅及びパルス強度の両方を変化させる。
【００７５】
図９は、第３の実施形態の電気泳動表示装置１の動作を任意の一画素に着目して説明するための波形図である。図９に示すように、本実施形態では、画像信号導入期間が４つのフレーム期間から構成されている。第１フレーム期間では、パルス強度Ｖｄｄ１、パルス幅Ｔ１のデータ入力パルスが供給され、第２フレーム期間では、パルス強度Ｖｄｄ１、パルス幅Ｔ２（Ｔ２＜Ｔ１）のデータ入力パルスが供給され、第３フレーム期間では、パルス強度Ｖｄｄ２（Ｖｄｄ２＜Ｖｄｄ１）、パルス幅Ｔ３（Ｔ３＝Ｔ２）のデータ入力パルスが供給され、第４フレーム期間では、パルス強度Ｖｄｄ２（Ｖｄｄ２＜Ｖｄｄ１）、パルス幅Ｔ４（Ｔ４＜Ｔ３）のデータ入力パルスが供給される。
【００７６】
本実施形態では、パルス強度に着目すると、フレーム期間毎に、Ｖｄｄ１からそれよりも小さいＶｄｄ２に時系列的に減少している。また、パルス幅に着目すると、Ｔ１＞Ｔ２＞＝Ｔ３＞Ｔ４と、時系列的に狭くなっている。
【００７７】
このように、パルス強度及びパルス幅を変化させることで、上記第１及び第２の実施形態と同様の効果が得られると共に、装置及び駆動方法のバリエーションの幅が広がる。
【００７８】
（第４の実施形態）
第４実施形態では、リセット期間に共通電極に単パルスの代わりに複数個のリセットパルスを供給する。
【００７９】
図１０は、第４の実施形態のリセット期間における一画素の動作を説明する波形図である。ここでは、図１０に示すように、リセット期間にリセットパルスＲ１、Ｒ２、Ｒ３をパルス幅ｔ１、ｔ２、ｔ３が徐々に狭くなるように（ｔ１＞ｔ２＞ｔ３）供給する。これにより、リセット時の白表示において、第１の実施形態と同様の効果が得られる。なお、ここで、ｔ１は、供給電圧を一定とした場合に、例えば電気泳動粒子３６、３７が電極間（例えば画素電極３３から共通電極３４まで）を移動する電圧を供与するのに必要最小限の時間である。
【００８０】
次に、上記リセットパルスを分散系３５に供給した場合の電気泳動粒子３６、３７の動作について説明する。図１１は、黒表示から画面をリセットする場合の電気泳動粒子の動作を説明する図である。共通電極にパルスＲ１を付与すると、図１１（ａ）の状態であった電気泳動粒子３６、３７が移動を開始し、図１１（ｂ）に示すように、黒色の電気泳動粒子３７は画素電極３３まで、白色の電気泳動粒子３６は共通電極３４までほぼ移動を終了する。しかし、図１１（ｂ）に示されるように、上記期間ｔ１内に移動しきれない粒子や、移動はしたがその後に分散媒３８の対流により沈降又は浮上してしまう粒子がある。このような電気泳動粒子３６、３７を、さらにＲ１よりパルス幅の狭いリセットパルスＲ２、Ｒ３を付与することで、図１１（ｃ）に示されるように所定位置に納めることができる。
【００８１】
本実施形態では、リセット期間に全画面を白表示とし、画像信号書き込み期間において、黒表示を行う画素のみ黒色の電気泳動粒子を移動させ、書き込みを行い、白表示を行う画素は、リセット時の状態をそのまま保持するだけなので、白表示の鮮明度はリセット時に移動させた白色の電気泳動粒子３６の分布状態によって定まる。したがって、リセット期間に、第１のリセットパルスを印加し、一旦電気泳動粒子３６、３７を略定位置に移動させた後、追加のリセットパルスＲ２、Ｒ３を印加することで、ほぼ全ての電気泳動粒子３６、３７の位置を所定位置に移動さることができ、白色表示の画質の向上を図ることができる。
【００８２】
また、徐々にパルス幅を狭めることで、最低限の消費電力で画質を向上させることが可能となると共に、過剰の加圧による電気泳動表示素子の劣化や破損等を回避し得る。
【００８３】
（第５の実施形態）
第４の実施形態では、リセットパルスのパルス幅を変化させたが、第５の実施形態では、リセットパルスのパルス強度を変化させる。
【００８４】
図１２は、第５の実施形態のリセット期間における一画素の動作を説明する波形図である。図１２に示すように、リセットパルスＲ１、Ｒ２、Ｒ３、Ｒ４のパルス強度を、それぞれ、Ｖｄｄ１、Ｖｄｄ１、Ｖｄｄ２、Ｖｄｄ２と徐々に減少させる。これにより、第４の実施形態と同様の効果が得られる。
【００８５】
（第６の実施形態）
第４の実施形態では、リセットパルスのパルス幅を変化させ、第５の実施形態では、リセットパルスのパルス強度を変化させたが、両者を組合わせてもよい。
【００８６】
図１３は、第６の実施形態のリセット期間における一画素の動作を説明する波形図である。図１３に示すように、リセットパルスＲ１、Ｒ２、Ｒ３、Ｒ４のパルス強度を、それぞれＶｄｄ１、Ｖｄｄ１、Ｖｄｄ２、Ｖｄｄ２と徐々に減少させ、パルス幅をＴ１、Ｔ２、Ｔ３、Ｔ４（Ｔ１＞Ｔ２＝Ｔ３＞Ｔ４）と徐々に狭めている。
【００８７】
これにより、第４の実施形態及び第５の実施形態と同様の効果が得られる他、装置及び駆動方法の設計の幅が広がる。
【００８８】
（第７の実施形態）
次に、上述した電気泳動表示装置１を備える電子機器の例について説明する。本実施形態にかかる電気泳動表示装置１は、各種の電子機器に適用することができる。
【００８９】
図１４は、電子機器の例を示す概略斜視図である。図１４（Ａ）は携帯電話への適用例であり、当該携帯電話５３０はアンテナ部５３１、音声出力部５３２、音声入力部５３３、操作部５３４、表示部５３５を備えている。この例では、表示部５３５が、上述の電気泳動表示装置１で構成されている。
【００９０】
図１４（ｂ）は電子ブックへの適用例であり、当該電子ブック５４０は、ブック形状のフレーム５４１と、このフレーム５４１に対して、回動自在に設けられた（開閉可能な）カバー５４２とを備えている。フレーム５４１には、表示面を露出させた状態の表示装置５４３と、操作部５４４とが設けられている。この例では、表示装置５４３が、上述の電気泳動表示装置１で構成されている。
【００９１】
図１４（ｃ）は電子ペーパーへの適用例であり、当該電子ペーパー５５０は、紙と同様の質感および柔軟性を有するリライタブルシートで構成される本体５５１と、表示ユニット５５２とを備えている。
【００９２】
このような電子ペーパー５５０では、表示ユニット５５２が、前述したような電気泳動表示装置１で構成されている。
【００９３】
なお、本発明の電気泳動表示装置は、上述した例に限らず、各種電子機器に適用可能である。他の電子機器としては、例えば、表示機能付きファックス装置、デジタルカメラ（ファインダ部）、表示機能付きビデオテープレコーダ、カーナビゲーション装置、電子手帳、電卓、電子新聞、電光掲示盤、宣伝公告用ディスプレイテレビ、テレビ、ワードプロセッサ、パーソナルコンピュータ、電話、ＰＯＳ端末、タッチパネルを備えた機器等を挙げることができる。
【００９４】
なお、本発明は上述した実施形態の内容に限定されるものではない。本発明の趣旨の範囲内で種々に変形実施が可能である。
【００９５】
例えば、上述した実施形態において、コントローラ１１が制御するという意味では、図１において図示しない制御信号で本発明の動作を行うかどうかの指示をコントローラ１１が走査線駆動回路１３及びデータ線駆動回路１４に行い、この指示を受けて走査線駆動回路１３及びデータ線駆動回路１４が動作に必要なクロックや電圧レベルを随時選択して必要なパルス幅及びパルス強度をもったデータ入力パルスを駆動するようにしてもよい。
【００９６】
例えば、上述した実施形態においては、リセット期間に全画面を白表示とし、画像信号書き込み期間において、黒表示を行う画素のみ黒色の電気泳動粒子を移動させ、書き込みを行うこととしたが、これに限らず、リセット期間に全画面を黒表示とし、画像信号書き込み期間において白色の電気泳動粒子により書き込みを行うこととしてもよい。これは、例えば、白色及び黒色の電気泳動粒子を逆の極性に帯電させる（白色の電気泳動粒子をプラスとし、黒色の電気泳動粒子をマイナスにする）ことにより、同様の駆動方法で達成し得る。
【００９７】
また、上述した実施形態においては、２色の電気泳動粒子を用いて画像表示を行ったが、これに限らず、例えば、分散媒を着色し（例えば白色）、分散媒と異なる色（例えば黒色）の電気泳動粒子を電極間で移動させることにより、画像を表示することとしてもよい。
【００９８】
また、繰り返しの書き込みによって、画像（静止画）を徐々に形成することができるため、フェードイン・フェードアウトのような画面全体が徐々に変化するような表現効果を得ることができる。
【図面の簡単な説明】
【００９９】
【図１】図１は、本発明の第１の実施形態の電気泳動表示装置の回路構成を概略的に説明するブロック図である。
【図２】図２は、各画素回路２０の構成を説明する回路図である。
【図３】図３は、電気泳動表示素子の構成例を説明する模式断面図である。
【図４】図４は、本実施形態の電気泳動表示装置の単位画像書き換え期間における基本的な駆動方法を説明する信号波形図である。
【図５】図５は、第１の実施形態の電気泳動表示装置の動作を任意の一画素に着目して説明するための信号波形図である。
【図６】図６は、一画素に着目した場合の電気泳動粒子３６、３７の動作を説明するめの図である。
【図７】図７は、第２の実施形態の電気泳動表示装置１の動作を任意の一画素に着目して説明するための信号波形図である。
【図８】図８は、一画素に着目した場合の電気泳動粒子３６、３７の動作を説明するめの図である。
【図９】図９は、第３の実施形態の電気泳動表示装置１の動作を任意の一画素に着目して説明するための信号波形図である。
【図１０】図１０は、第４の実施形態のリセット期間における一画素の動作を説明する信号波形図である。
【図１１】図１１は、黒表示から画面をリセットする場合の電気泳動粒子の動作を説明する図である。
【図１２】図１２は、第５の実施形態のリセット期間における一画素の動作を説明する信号波形図である。
【図１３】図１３は、第６の実施形態のリセット期間における一画素の動作を説明する信号波形図である。
【図１４】図１４は、電子機器の例を概略的に示す斜視図である。
【符号の説明】
【０１００】
１  電気泳動表示装置、１１  コントローラ、１２  表示部、１３  走査線駆動回路、１４  データ線駆動回路、２０  画素回路、２１  トランジスタ、２２  電気泳動表示素子、２３  保持容量、２４  走査線、２５  データ線、３１  基板、３２  基板、３３  画素電極、３４  共通電極、３５  分散系、３６  電気泳動粒子、３７  電気泳動粒子、３８  分散媒、５３０  携帯電話、５３１  アンテナ部、５３２  音声出力部、５３３  音声入力部、５３４  操作部、５３５  表示部、５４０  電子ブック、５４１  フレーム、５４２  カバー、５４３  表示装置、５４４  操作部、５５０  電子ペーパー、５５１  本体、５５２  表示ユニット、Ｄ  画像データ、Ｄｒ  リセットデータ
【図１】
0005348363.tif 000002
【図２】
0005348363.tif 000003
【図３】
0005348363.tif 000004
【図４】
0005348363.tif 000005
【図５】
0005348363.tif 000006
【図６】
0005348363.tif 000007
【図７】
0005348363.tif 000008
【図８】
0005348363.tif 000009
【図９】
0005348363.tif 000010
【図１０】
0005348363.tif 000011
【図１１】
0005348363.tif 000012
【図１２】
0005348363.tif 000013
【図１３】
0005348363.tif 000014
【図１４】
0005348363.tif 000015